(57)【要約】【課題】蓋を開閉することなく、挿入孔から新しい電池を挿入するだけで電池の交換を行える電池ケースを提供することを目的とする。【解決手段】下面に挿入孔３ａを、上面に挿出孔３ｂを夫々穿設するとともに、下部側リブ９により回動自在に支承され、−側電極１０を突設させた下部ホルダ６と、上部側リブ１２により回動自在に支承され、＋側電極１３を突設させた上部ホルダ１１とをクランク状のレバー１４により連結し、前記−側電極１０と前記＋側電極１３の間に電池３０を収納して電池ケース３を構成し、電池を交換する際は、前記挿入孔３ａから新しい電池を挿入する。【選択図】  図２
2004281294.tif 000002
【特許請求の範囲】
【請求項１】
下面に電池の挿入孔を穿設し、上面に電池の挿出孔を穿設したケースと、同ケース内壁の前記挿入孔側の一側から突設され、軸を備えた下部側リブと、前記挿出孔側の一側から突設され、軸を備えた上部側リブと、前記下部側リブに回動自在に支承され、上面に−側端子を突設させた下部ホルダと、前記上部側リブに回動自在に支承され、下面に＋側端子を突設させた上部ホルダと、前記下部ホルダの中央部から突設された軸と前記上部ホルダの中央から突設された軸とを連結するレバーと、前記下部ホルダの前記下部リブと対向する部位から突出するように設けられた摺動自在なストッパと、同ストッパの先端部が係止するように前記ケースの内壁面に設けられた係止溝とからなり、
前記下部ホルダの−側端子と、前記上部ホルダの＋側端子との間に電池を収納し、前記挿入孔から新電池を挿入し、同新電池により前記下部ホルダを介して旧電池を押圧するとともに前記挿出孔から挿出することにより電池の交換が行えることを特徴とする電池ケース。
【請求項２】
前記ストッパの両側にガイドリブを形成し、中空状に形成された前記下部ホルダの中空部内壁に前記ガイドリブを遊嵌するガイド溝を形成することにより前記ストッパを摺動自在に支持してなることを特徴とする請求項１に記載の電池ケース。
【請求項３】
前記下部ホルダの下部側リブ近傍に設けられた仕切板と、前記ストッパの後端面との間に、同ストッパを前記係止溝側に付勢するスプリングを介装させてなることを特徴とする請求項１に記載の電池ケース。
【請求項４】
前記ストッパの下面に、円柱状に突設された電池の＋側電極が当接し、滑ることにより前記ストッパを前記下部リブ側に押圧するとともに先端部を前記係止溝から抜脱させる傾斜部を形成してなることを特徴とする請求項１又は請求項２に記載の電池ケース。
【請求項５】
前記下部ホルダが前記下部側リブの軸を中心として回動した際、前記レバーにより前記上部ホルダが連係して回動してなることを特徴とする請求項１に記載の電池ケース。
【発明の詳細な説明】
【０００１】
【発明の属する技術分野】
本発明は、電池を収納した電池ケースに関わり、より詳細には、単三形電池等の円柱形の電池を蓋を開閉することなく新しい電池に交換できる構成に関する。
【０００２】
【従来の技術】
従来の電池ケースは、例えば図６で示すように、＋側端子５０ａを下端面に備えた＋側電極５０と、−側端子５１ａを上端面に備えた−側電極５１との間に、厚みの薄い略円柱形に形成された所謂ボタン型の電池５２を挟持するようにして装着している。同電池５２は内部に蓄電体を封入し、前記＋側端子５０ａに接触する上面から側面にかけて＋電極を形成するとともに、前記−側端子５１ａに接触する下面に−電極を形成し、＋電極と−電極とはこれらの間に介在する絶縁体により絶縁されるようになっている。
【０００３】
前記電池５２を新しい電池５３に交換する際は、同電池５３を前記＋側端子５０ａと前記−側端子５１ａとに間に＋電極と−電極を接触させながら挿入し、続いて前記電池５２を前記電池５３で押圧しながら移動させて、前記電池５２の＋電極と−電極を前記＋側端子５０ａと前記−側端子５１ａから離間させて交換を行うようになっている。これにより電池からの電源の供給が途絶えることなく古い電池を新しい電池に交換できるようになっている。（特許文献１参照）
【０００４】
しかしながら、上記した構成は、電池の電極の方向と、電池が押圧される方向とが直交していないと、所謂押出し式で電池の交換を行うことができず、単三形あるいは単四形電池等の細長円柱形の電池において電池の電極の方向と、電池が押圧される方向とが平行していても、押出し式で電池交換が行える電池ケースが求められていた。
【０００５】
【特許文献１】
特開２０００−１８８０９３号
【０００６】
【発明が解決しようとする課題】
本発明は上記問題点に鑑み、電池の電極の方向と、電池が押圧される方向とが平行であったとしても所謂押出し式で電池交換が行える電池ケースを提供することを目的とする。
【０００７】
【課題を解決するための手段】
本発明は上記課題を解決するため、下面に電池の挿入孔を穿設し、上面に電池の挿出孔を穿設したケースと、同ケース内壁の前記挿入孔側の一側から突設され、軸を備えた下部側リブと、前記挿出孔側の一側から突設され、軸を備えた上部側リブと、前記下部側リブに回動自在に支承され、上面に−側端子を突設させた下部ホルダと、前記上部側リブに回動自在に支承され、下面に＋側端子を突設させた上部ホルダと、前記下部ホルダの中央部から突設された軸と前記上部ホルダの中央から突設された軸とを連結するレバーと、前記下部ホルダの前記下部リブと対向する部位から突出するように設けられた摺動自在なストッパと、同ストッパの先端部が係止するように前記ケースの内壁面に設けられた係止溝とからなり、
前記下部ホルダの−側端子と、前記上部ホルダの＋側端子との間に電池を収納し、前記挿入孔から新電池を挿入し、同新電池により前記下部ホルダを介して旧電池を押圧するとともに前記挿出孔から挿出することにより電池の交換が行える構成となっている。
【０００８】
また、前記ストッパの両側にガイドリブを形成し、中空状に形成された前記下部ホルダの中空部内壁に前記ガイドリブを遊嵌するガイド溝を形成することにより前記ストッパを摺動自在に支持してなる構成となっている。
【０００９】
また、前記下部ホルダの下部側リブ近傍に設けられた仕切板と、前記ストッパの後端面との間に、同ストッパを前記係止溝側に付勢するスプリングを介装させてなる構成となっている。
【００１０】
また、前記ストッパの下面に、円柱状に突設された電池の＋側電極が当接し、滑ることにより前記ストッパを前記下部リブ側に押圧するとともに先端部を前記係止溝から抜脱させる傾斜部を形成してなる構成となっている。
【００１１】
更に、前記下部ホルダが前記下部側リブの軸を中心として回動した際、前記レバーにより前記上部ホルダが連係して回動してなる構成となっている。
【００１２】
【発明の実施の形態】
以下、本発明の実施の形態を、添付図面に基づいた実施例として詳細に説明する。
図１は本発明による電池ケースを備えた受信機を示す断面図であり、図２は電池ケースの断面図であり、図３は同電池ケースの要部断面図である。図４及び図５は電池交換の際の動作を示す断面図である。
本発明による電池ケースは、例えば図１で示すような、壁掛型の受信機１に設けられている。同受信機１は天井面４１近傍の壁面４０に据付けられ、下部に前面に向かい膨出するように電池ケース３を設けており、同電池ケース３には細長円柱状の単三形あるいは単四形の電池３０が収納されるとともに、その下面には電池の挿入孔３ａが穿設され、上面には挿出孔３ｂが穿設されている。
【００１３】
前記受信機１の本体部２には、前記電池３０から電源の供給を受ける信号処理回路基板４とスピーカ５とが配設されており、地域の放送局あるいは放送アンテナからの電波を受信すると、前記スピーカ５から警報信号あるいは連絡事項などを音声として発するようになっている。
【００１４】
前記電池ケース３は、図２で示すように、下面に上記した電池の挿入孔３ａを、上面に挿出孔３ｂを夫々穿設するとともに、前面内壁に前面保持部３ｃを、後面内壁に後面保持部を夫々内側に膨出させており、これにより収納された電池３０は垂直状に保持されるようになっている。同電池３０は＋電極側を上方に向け、平坦面の−電極側を、金属板からなる−側端子１０を突設させた下部ホルダ６により支承され、＋電極側を金属板からなる＋側端子１３を突設させた上部ホルダ１１により支承されている。
【００１５】
前記下部ホルダ６は後面内壁から突設され、軸９ａを備えた一対の下部側リブ９により回動自在に軸支され、前記上部ホルダ１１も同様に後面内壁から突設され、軸１２ａを備えた一対の上部側リブ１２により回動自在に軸支されている。また前記下部ホルダ６は中央部の左右両側に軸１４ａを突設させ、前記上部ホルダ１１も中央部の左右両側に軸１４ｂを突設させており、前記軸１４ａと前記軸１４ｂとは、クランク状に形成されたレバー１４により連結されている。同レバー１４により前記下部ホルダ６と前記上部ホルダ１１とは連係して動作するようになっており、前記下部ホルダ６が上方に向かい回動すると、これに併せ前記上部ホルダ１１も回動するようになっている。
【００１６】
また前記下部ホルダ６に対応する前記電池ケース３の前面内壁には、前記下部ホルダ６の前面側から突出したストッパ７の先端部が係止する係止溝８が形成されており、同係止溝８に前記ストッパ７が係止されることにより、前記下部ホルダ６は前記電池３０の荷重を受けながら水平状態を維持するようになっている。
【００１７】
前記下部ケース６は、図３の断面図で示すように、リード線１０ａを後端縁に接続した金属板からなる−側端子１０を上面に突設させ、内部に別体からなり、両側面にガイドリブ７ａを突設させた長尺状の前記ストッパ７を前記摺動自在に設けている。同ストッパ７は前記下部ケース６の左右内壁に設けられたガイド溝に前記ガイドリブ７ａを遊嵌させて摺動自在に支持される一方、前記軸９ａの近傍に設けられた仕切板６ａと後端面との間に介装されたスプリング１５により前記係止溝８側に押圧されている。また同ストッパ７の下面には、新しい電池を挿入する際、同ストッパ７を後部側に向かい移動させるための傾斜部７ｂが形成されている。
【００１８】
次に、電池交換の際の動作について説明する。前記電池ケース３に収納された電池３０を新しい電池３１に交換する際は、図４（Ａ）で示すように、前記電池ケース３の下面に穿設された前記挿入孔３ａから＋電極３１ａが上方となるように新しい電池３１を挿入する。同電池３１は前記挿入孔３ａの内壁面に案内されながら円柱状に突設された＋電極３１ａ角部が前記ストッパ７の下面に形成された傾斜部７ｂに当接するとともに、同傾斜部７ｂ面を滑りながら後部側に押圧する。これにより前記スプリング１５により前面側に付勢された前記ストッパ７は前記ガイド溝に案内されながら後方に移動し、先端部が前記係止溝８から抜脱されるようになっている。
【００１９】
前記ストッパ７の先端部が前記係止溝８から抜脱されると、前記下部ホルダ６は、図４（Ｂ）で示すように、前記電池３１に押圧されながら前記軸９ａを中心として上方に回動し、前記電池３０を上方に押し上げる。図５は一連の動作を示す断面図であり、同図（Ｂ）に示すように、前記新しい電池３１が前記電池３０を上方に押し上げると同電池３０は上面に挿出孔３ｂから挿出されるようになっている。続いて前記新しい電池３１の−電極が前記下部ホルダ６の−側端子１０に接触するようにして前記下部ホルダ６を再び下方に回動させると、前記ストッパ７の先端部が前記係止溝８に係止され、これにより新しい電池３１が前記電池ケース３に収納されるようになっている。
【００２０】
上記したように、前記電池ケース３を備えた前記受信機１が、壁面の高い位置に据付けられていたとしても、蓋を開閉することなく下方から前記挿入孔３ａに向かい新しい電池を挿入するだけで電池の交換作業を行うことができ、使い勝手性の向上した電池ケースとすることができるようになっている。
【００２１】
【発明の効果】
以上説明したように、本発明によると、下面に挿入孔を、上面に挿出孔を夫々穿設するとともに、レバーにより連結され回動自在に支承された下部ホルダと上部ホルダとの間に電池を収納することにより、前記挿入孔から新しい電池を挿入するだけで電池の交換を可能とする電池ケースとすることができる。
【図面の簡単な説明】
【図１】本発明による電池ケースを備えた受信機を示す断面図である。
【図２】本発明による電池ケースの断面図である。
【図３】電池ケースの要部断面図である。
【図４】（Ａ）は電池３１が挿入された状態を示す断面図である。
（Ｂ）は下部ホルダが回動した状態を示す断面図である。
【図５】（Ａ）は古い電池が収納されている状態を示す断面図である。
（Ｂ）は新しい電池が挿入される状態を示す断面図である。
（Ｃ）は古い電池が挿出された状態を示す断面図である。
【図６】（Ａ）は従来例における電池が収納されている状態を示す断面図である。
（Ｂ）は電池の交換を示す断面図である。
【符号の説明】
１  受信機
２  本体部
３  電池ケース
３ａ  挿入孔
３ｂ  挿出孔
４  信号処理回路基板
５  スピーカ
６  下部ホルダ
６ａ  仕切板
７  ストッパ
７ａ  ガイドリブ
７ｂ  傾斜部
８  係止溝
９  下部側リブ
９ａ  軸
１０  −側端子
１０ａ  リード線
１１  上部ホルダ
１２  上部側リブ
１２ａ  軸
１３  ＋側端子
１４  レバー
１４ａ、１４ｂ  軸
１５  スプリング
３０、３１  電池
４０  壁面
４１  天井面
【図１】
2004281294.tif 000003
【図２】
2004281294.tif 000004
【図３】
2004281294.tif 000005
【図４】
2004281294.tif 000006
【図５】
2004281294.tif 000007
【図６】
2004281294.tif 000008